(57)【要約】      （修正有）【課題】ボトルキャップ構造を提供する。【解決手段】ボトルキャップ構造は真空ユニット２０と、圧力逃がしユニット３０と、飲料水管ユニット４０とを備える。これら部材の設置によりボトルキャップ１とボトルとが結合された後、真空ユニット２０によりボトルの内部が真空化され、ボトル内の食物が新鮮に保たれる。圧力逃がしユニット３０を操作することによりボトル内の気圧が解放され、ボトルキャップ１を開けるか飲料水管ユニット４０のフリップカバー４２を開けることでボトル内のジュースや水等を飲むことができるようになる。ボトル内の食物が新鮮に保たれ、飲用が便利になる効果を有する。【選択図】図５
0003215935.tif 000002
【実用新案登録請求の範囲】
【請求項１】
ピストンシリンダが内設され、前記ピストンシリンダ内部の底面には前記ボトルキャップの下方に連通される排気孔が設けられ、前記ボトルキャップの下方に連通される圧力逃がし孔が設置されるキャップ本体と、
前記ピストンシリンダに内設され、一方向排気弁及びピストン装置を備え、前記一方向排気弁は前記排気孔の上方に設置され、且つバルブステムと、シールリングと、第一スプリングとを有し、前記バルブステムは前記排気孔の上方に位置され、その底端の外側は前記シールリングに植設されて固定され、前述排気孔を塞ぐために用いられ、前記第一スプリングは前記バルブステムの外に環装され、これにより前記バルブステムが下に向けて永続的に押動されることにより前記シールリングが前記排気孔を塞ぎ、また、前記ピストン装置は前記ピストンシリンダに内設されると共に前記一方向排気弁の上方に間隔を空けて位置され、且つピストン棒と、前記ピストン棒の底端の外側に付加されて固定されるピストンと、第二スプリングとを含み、前記ピストン棒の上端は前述のキャップ本体の開口部を貫通させて前記キャップ本体の上方に位置され、前記ピストン棒の外縁は薄くなると共に前記ピストンシリンダの内部壁に接触させ、前記第二スプリングは前記ピストン棒の外側に環装され、且つ前記ピストン棒を下に向けて永続的に押す力を有する真空ユニットと、
前記圧力逃がし孔の上方に設置され、圧力逃がしバルブと、制御板と、第三スプリングとを有し、前記圧力逃がしバルブは圧力逃がし軸を有し、前記圧力逃がし軸の底端の外壁にはエアバリアリングが設置され、前記制御板の一端は前記圧力逃がし軸の外壁に固着され、他端は前記キャップ本体の外側に突出し、前記第三スプリングが前記圧力逃がし軸の外側に環装されることにより前記圧力逃がしバルブの前記エアバリアリングが下に向けて永続的に押動されて前記圧力逃がし孔が塞がれる圧力逃がしユニットと、
飲料水管及びフリップカバーを有し、前記飲料水管は管状であり、上下に貫通され、前記キャップ本体に内設され、前記飲料水管の上部パイプの出口端は前記キャップ本体の上方から突出し、下部パイプの出口端は前記キャップ本体の下方に連通され、前記フリップカバーは前記キャップ本体の上方に設置され、前記上部パイプの出口端を密封させるために用いられる飲料水管ユニットとを具備することを特徴とするボトルキャップ構造。
【請求項２】
前記キャップ本体は本体及び係着方式で前記本体の上方に結合される本体キャップで構成され、前記ピストンシリンダ、前記圧力逃がし孔、及び前記飲料水管は前記キャップ本体の上面に設けられる配置面に設置されることを特徴とする請求項１に記載のボトルキャップ構造。
【請求項３】
前記配置面は上述の排気孔に対応させる位置に、前記排気孔の周縁から上に向けて延伸される配置シリンダが設置され、前記配置シリンダの前記排気孔に隣接する端の内壁は円弧面であり、前記配置シリンダの上端には上蓋が冠着され、前記上蓋の中間には上蓋の開口部が設けられ、前記上蓋の開口部からは前記バルブステムの上端が突出し、前記バルブステムの底端には拡大するベースを有し、前記シールリングは前記ベースの周面に環装されると共に外に向けて突出して前述の円弧面に接触させ、前記第一スプリングは前記ベースと前記上蓋との間に環装されることを特徴とする請求項２に記載のボトルキャップ構造。
【請求項４】
前記ピストン棒の上端にはプルハンドルが枢着され、前記第二スプリングの上端は前記本体キャップに接触させることにより定位され、底端は前記ピストン棒の底端の凸壁に接触させることを特徴とする請求項２または３に記載のボトルキャップ構造。
【請求項５】
前記圧力逃がし軸の底端は前記圧力逃がし孔の内部に貫入され、前記第三スプリングの上端は前記本体キャップに接触させて固定され、底端及び前記制御板が連結されることにより前記圧力逃がし軸の端に接触させることを特徴とする請求項２または３に記載のボトルキャップ構造。
【請求項６】
前記フリップカバーの一端は枢着軸により前記本体キャップの上面に枢着され、他端により前記上部パイプの出口端が密封されることを特徴とする請求項２または３に記載のボトルキャップ構造。
【考案の詳細な説明】
【技術分野】
【０００１】
本考案は、ボトルキャップ構造に関し、更に詳しくは、ボトル内を真空化させ、ボトル内の食物の鮮度を保つ効果と、ボトルキャップが開くようにするための圧力逃がし機能と、フリップカバーを開くことで飲用可能にする飲料水管とを有するボトルキャップに関する。
【背景技術】
【０００２】
携帯用ジューサーは、カップ（ボトル）本体及びベースが共に小さく、外出時に携帯して使用可能である。従来の特許文献１は、例えば、「ジューサー機能を兼ね備える携帯用ミキサー」の考案が記載されている。特許文献１のミキサーカップは果汁の圧搾が完了した後にベースから分離されて蓋をされ、携帯していつでもジュースを飲めるようになる。
しかしながら、一般的なジュースの撹拌が完了した後には、空気に触れるとすぐに酸化してしまう。本考案者はこの問題を鑑み、鋭意研究と改良を重ね、本考案を発案するに到った。  
【先行技術文献】
【特許文献】
【０００３】
【特許文献１】中国実用新案第２０１５２０９４３７１１．２号明細書
【考案の概要】
【考案が解決しようとする課題】
【０００４】
本考案の目的は、ボトルに結合された後、ボトル内を真空化させ、ボトル内の食物の鮮度を保つ効果と、ボトルキャップが開くようにするための圧力逃がし機能と、圧力が逃がされた状態になった後に、フリップカバーを開くことですぐに飲用可能にする飲料水管とを有するボトルキャップ構造を提供することにある。
【課題を解決するための手段】
【０００５】
上述した課題を解決し、目的を達成するために、本考案に係るボトルキャップ構造の特徴は、前記ボトルキャップは真空ユニットと、圧力逃がしユニットと、飲料水管ユニットとを備える。これら前記の部材が設置されることで、前記ボトルキャップがボトルに結合された後、前記真空ユニットにより前記ボトルの内部が真空化され、ボトル内の食物が新鮮に保たれる。前記圧力逃がしユニットによりボトル内の気圧が解放されると、ボトルキャップが開けるようになり、或いは前記飲料水管ユニットのフリップカバーを開くことでボトル内のジュースや水等を飲めるようになる。ボトル内の食物を新鮮に保ち、飲用が便利になる効果を有する。
【考案の効果】
【０００６】
本考案は以下の長所及び効果を少なくとも有する。
一．前記ボトルキャップがボトルに結合され、ボトル内が真空化され、ボトル内の食材の保存期限が延長される。
二．ボトルキャップを開いてジュースを飲めるようになる以外、フリップカバーを開いて飲料水管を使用して飲むことも可能になる。
【図面の簡単な説明】
【０００７】
【図１】従来のボトルキャップを示す分解図である。
【図２】本考案の一実施形態がボトルを組み合わせた後の傾斜図である。
【図３】本考案の実施形態がボトルを組み合わせた後の一部の断面図である。
【図４】図３の拡大断面図である。
【図５】本考案の一実施形態によるボトルキャップを示す分解図である。
【図６】本考案の実施形態による真空操作を示す作動図である。
【図７】本考案の実施形態による圧力逃がし操作を示す作動図である。
【図８】本考案の実施形態が圧力逃がしされた後、キャップが開かれた状態図である。
【考案を実施するための形態】
【０００８】
以下、図２〜８を参照しながら、本考案をさらに詳しく説明する。まず、本考案に係るボトルキャップ１の構造は、以下の部材を備える。
【０００９】
まず、キャップ本体１０は本体１１及び係着方式で前記本体１１の上方に結合される本体キャップ１２を有する。前記本体１１は蓋状を呈し、底端にはボトル２のボトル口２ａへの結合に用いられる雌ねじ１１０を有し、前記本体１１の上端には配置面１１１を有し、前記配置面１１１によりボトル口２ａが蓋をされる。前記配置面１１１には上に向けて筒状のピストンシリンダ１１２が設置され、前記ピストンシリンダ１１２の内部の前記配置面１１１には排気孔１１３が設けられる（図４参照）。前記排気孔１１３の周辺には前記配置面１１１から上に向けて延伸される配置シリンダ１１４が設置され、前記配置シリンダ１１４の排気孔１１３に隣接する端の内壁は円弧面１１４ａである。前記配置シリンダ１１４の上端には上蓋１１５が冠着され、前記上蓋１１５の中間には上蓋の開口部１１６を有する。
【００１０】
次は、真空ユニット２０は前記本体キャップ１２の内側に設置され、一方向排気弁２１及びピストン装置２２を備える。前記一方向排気弁２１は前記配置シリンダ１１４の内側に設置され、バルブステム２１０と、シールリング２１１と、第一スプリング２１２とを有する。前記バルブステム２１０は前記排気孔１１３の上方に位置され、底端には拡大するベース２１０ａを有する。前記シールリング２１１は前記ベース２１０ａの周面に環装されると共に外に向けて突出し、前述の円弧面１１４ａへの接触に用いられる。前記第一スプリング２１２は前記ベース２１０ａと前記上蓋１１５との間に環装され、前記第一スプリング２１２により前記バルブステム２１０が下に向けて永続的に押動されることにより前記排気孔１１３が塞がれる効果を有する。前記ピストン装置２２は前記ピストンシリンダ１１２に内設されると共に前記一方向排気弁２１の上方に間隔を空けて位置され、ピストン棒２２０と、前記ピストン棒２２０の底端の凸壁２２０ａの外側に付加されるピストン２２１と、プルハンドル２２２と、第二スプリング２２３とを備える。前記ピストン棒２２０の上端は前述の本体キャップ１２の開口部１２１を貫通させて前記本体キャップ１２の上方に位置され、前記プルハンドル２２２の底端は前記ピストン棒２２０の上端に連結される。指をプルハンドル２２２にかけて上に引っ張ると、前記ピストン棒２２０が連動されて上に向けて滑動される。前記ピストン２２１の外縁は徐々に薄くなり、前記ピストンシリンダ１１２の内側壁に接触させる。前記第二スプリング２２３は前記ピストン棒２２０の外側に環装され、上端が前記本体キャップ１２に接触させて定位され、底端は前記ピストン棒２２０の底端の前記凸壁２２０ａの上面に接触させ、前記第二スプリング２２３は前記ピストン棒２２０を下に向けて永続的に押す力を有する。
【００１１】
続いて、圧力逃がしユニット３０は圧力逃がしバルブ３１と、制御板３２と、第三スプリング３３とを有する。前記本体キャップ１２に内設され、前記配置面１１１は上述の圧力逃がしバルブ３１に対応させる位置に貫通される圧力逃がし孔１１７が設けられる。前記圧力逃がしバルブ３１は圧力逃がし軸３１０を有し、前記圧力逃がし軸３１０の底端は前記圧力逃がし孔１１７の内部に貫入され、前記圧力逃がし孔１１７の上方の外側にはエアバリアリング３１１が設置される。前記制御板３２の一端は前記圧力逃がし軸３１０の外壁に固着され、他端が前記本体キャップ１２の外側から突出した後、前記本体キャップ１２の外壁に貼着される折り曲げ段３２０を有する。前記第三スプリング３３は前記圧力逃がし軸３１０の外側に環装され、上端は前記本体キャップ２１に接触させて定位され、底端は前記制御板３２に接触させ、前記第三スプリング３３により前記圧力逃がしバルブ３１が下に向けて永続的に押動され、前記圧力逃がし孔１１７が塞がれる効果を有する。
【００１２】
最後、飲料水管ユニット４０は飲料水管４１及びフリップカバー４２を有する。前記飲料水管４１は管状を呈し、上下に貫通され、前記本体１１が区画されることにより形成される。前記飲料水管４１の上部パイプの出口端４１０は前記本体キャップ１２から突出し、下部パイプの出口端４１１はボトル２に連通される。前記フリップカバー４２の一端は枢着軸により前記本体キャップ１２の上面に枢着され、他端は前記上部パイプの出口端４１０を密封させる。
【００１３】
さらに、上述の部材が順に組み合わせられた後、即ち、図２に示されるように、ボトル２内には果物が入れられると共にミキサーのベースに結合され、果物が撹拌されてジュースになると、ボトル２がミキサーのベースから分離され、ボトル口２ａに本考案のボトルキャップ１が結合される。以下の応用状態では下述のような効果を有する。
（一）ボトル２内が真空になる。図６に示されるように、手をプルハンドル２２２にかけて上に向けて引くと、前記ピストン棒２２０が連動されて第二スプリング２２３を圧縮させて上に向けて滑動させる。前記ピストン２２１の外縁が前記ピストンシリンダ１１２の内部壁に接触させることにより、前記ピストン２２１の下方の空間に吸引力が発生し、前記一方向排気弁２１が上に向けて引かれ、排気孔１１３から脱離し、ボトル２内の空気が前記ピストンシリンダ１１２の内部に連通されるほか、ボトル２内の一部の空気が吸引され、排気孔１１３を通って前記ピストン２２１の下方の前記ピストンシリンダ１１２内の空間Ａに流入させる。プルハンドル２２２（図４参照）が解放されると、ピストン棒２２０及び一方向排気弁２１がそれぞれ第二スプリング２２３及び第一スプリング２１２の回復力により下に向けて元の位置まで押し戻される。これにより、前記一方向排気弁２１が排気孔１１３を塞ぐ状態に戻り、空間Ａ内の元々あった空気はピストン２２１が下に移動することにより空間Ａ内の空気の圧力が過大となり、前記空気が前記ピストン２２１に連れて下に移動し、ピストン２２１が押されて変形することにより上に向けて排出される。このようにプルハンドル２２２及びピストン棒２２０の反復操作が行われることによりボトル２に対する真空化効果が達成され、ボトル２内の食物が新鮮に保存され、保存期限も延長される効果を有する。
（二）ボトルキャップ１を開ける、またはジュースを飲む。図７に示されるように、第三スプリング３３の弾力以上の力で制御板３２が上に向けて押されると、エアバリアリング３１１が上に移動して圧力逃がし孔１１７から離間する。この際ボトル２の外の空気が前記圧力逃がし孔１１７を経由してボトル２内に流入する。この状態になると、ボトルキャップ１を開けることができるようになり、或いはフリップカバー４２を開けて飲料水管４１によりジュースを飲むことができるようになる。
【００１４】
以上、本考案の実施形態について図面を参照して詳述したが、具体的な構成はこの実施形態に限られるものではなく、本考案の要旨を逸脱しない範囲の設計変更等も含まれる。
【符号の説明】
【００１５】
１  ボトルキャップ
１０  キャップ本体
１１  本体
１２  本体キャップ
１１０  雌ねじ
２  ボトル
２ａ  ボトル口
１１１  配置面
１１２  ピストンシリンダ
１１３  排気孔
１１４  配置シリンダ
１１４ａ  円弧面
１１５  上蓋
１１６  上蓋の開口部
２０  真空ユニット
２１  一方向排気弁
２２  ピストン装置
２１０  バルブステム
２１１  シールリング
２１２  第一スプリング
２１０ａ  ベース
２１２  スプリング
２２０  ピストン棒
２２０ａ  凸壁
２２１  ピストン
２２２  プルハンドル
２２３  第二スプリング
３０  圧力逃がしユニット
３１  圧力逃がしバルブ
３２  制御板
３３  第三スプリング
１１７  圧力逃がし孔
３１０  圧力逃がし軸
３１１  エアバリアリング
３２０  折り曲げ段
４０  飲料水管ユニット
４１  飲料水管
４２  フリップカバー
４１０  上部パイプの出口端
４１１  下部パイプの出口端
【図１】
0003215935.tif 000003
【図２】
0003215935.tif 000004
【図３】
0003215935.tif 000005
【図４】
0003215935.tif 000006
【図５】
0003215935.tif 000007
【図６】
0003215935.tif 000008
【図７】
0003215935.tif 000009
【図８】
0003215935.tif 000010
【手続補正書】
【提出日】平成30年2月23日(2018.2.23)
【手続補正１】
【補正対象書類名】実用新案登録請求の範囲
【補正対象項目名】請求項１
【補正方法】変更
【補正の内容】
【請求項１】
ピストンシリンダが内設され、前記ピストンシリンダ内部の底面にはボトルキャップの下方に連通される排気孔が設けられ、前記ボトルキャップの下方に連通される圧力逃がし孔が設置されるキャップ本体と、
前記ピストンシリンダに内設され、一方向排気弁及びピストン装置を備え、前記一方向排気弁は前記排気孔の上方に設置され、且つバルブステムと、シールリングと、第一スプリングとを有し、前記バルブステムは前記排気孔の上方に位置され、その底端の外側は前記シールリングに植設されて固定され、前述排気孔を塞ぐために用いられ、前記第一スプリングは前記バルブステムの外に環装され、これにより前記バルブステムが下に向けて永続的に押動されることにより前記シールリングが前記排気孔を塞ぎ、また、前記ピストン装置は前記ピストンシリンダに内設されると共に前記一方向排気弁の上方に間隔を空けて位置され、且つピストン棒と、前記ピストン棒の底端の外側に付加されて固定されるピストンと、第二スプリングとを含み、前記ピストン棒の上端は前述のキャップ本体の開口部を貫通させて前記キャップ本体の上方に位置され、前記ピストン棒の外縁は薄くなると共に前記ピストンシリンダの内部壁に接触させ、前記第二スプリングは前記ピストン棒の外側に環装され、且つ前記ピストン棒を下に向けて永続的に押す力を有する真空ユニットと、
前記圧力逃がし孔の上方に設置され、圧力逃がしバルブと、制御板と、第三スプリングとを有し、前記圧力逃がしバルブは圧力逃がし軸を有し、前記圧力逃がし軸の底端の外壁にはエアバリアリングが設置され、前記制御板の一端は前記圧力逃がし軸の外壁に固着され、他端は前記キャップ本体の外側に突出し、前記第三スプリングが前記圧力逃がし軸の外側に環装されることにより前記圧力逃がしバルブの前記エアバリアリングが下に向けて永続的に押動されて前記圧力逃がし孔が塞がれる圧力逃がしユニットと、
飲料水管及びフリップカバーを有し、前記飲料水管は管状であり、上下に貫通され、前記キャップ本体に内設され、前記飲料水管の上部パイプの出口端は前記キャップ本体の上方から突出し、下部パイプの出口端は前記キャップ本体の下方に連通され、前記フリップカバーは前記キャップ本体の上方に設置され、前記上部パイプの出口端を密封させるために用いられる飲料水管ユニットとを具備することを特徴とするボトルキャップ構造。